(57)【要約】【課題】画像形成に使用されている消耗品に適した設定で被記録媒体に画像形成を行うことができる画像形成装置を提供する。【解決手段】画像形成装置１００は、装着部２１と、制御部１０と、画像形成ユニット８０とを備える。制御部１０は、装着部２１に装着された交換部品Ｃが第１交換部品であるか第２交換部品であるかを判定する。第２交換部品は、第１交換部品と異なる。制御部１０は、制御モードを切り換える。制御モードは、第１制御モードと第２制御モードとを含む。制御部１０は、第１交換部品から第２交換部品に交換されたと判定した場合、移行期間Ｔを経過した後に制御モードを第２制御モードに切り換える。制御部１０は、第２交換部品から第１交換部品へ交換されたと判定した場合、移行期間Ｔを経過した後に制御モードを第１制御モードに切り換える。【選択図】図１
2019101156.tif 000002
【特許請求の範囲】
【請求項１】
消耗品を収容する交換部品が装着される装着部と、
前記装着部に装着された前記交換部品が第１交換部品であるか前記第１交換部品と異なる第２交換部品であるかを判定する制御部と、
前記消耗品を消費することによって被記録媒体に画像を形成する画像形成部と
を備え、
前記制御部は、
第１制御モードと第２制御モードとを含む制御モードを切り換え、
前記第１制御モードでは、前記第１交換部品に対応した第１設定に基づいて前記画像形成部を制御し、
前記第２制御モードでは、前記第２交換部品に対応した第２設定に基づいて前記画像形成部を制御し、
前記第１交換部品から前記第２交換部品に交換されたと判定した場合、移行期間を経過した後に前記制御モードを前記第２制御モードに切り換え、
前記第２交換部品から前記第１交換部品へ交換されたと判定した場合、前記移行期間を経過した後に前記制御モードを前記第１制御モードに切り換える、画像形成装置。
【請求項２】
前記制御部は、前記消耗品の消費量が閾値以上になったか否かを判定し、前記消費量が前記閾値以上になったと判定した場合、前記移行期間が経過したと判定して前記制御モードを切り換え、
前記消費量は、前記交換部品が異なる交換部品に交換されてから前記画像形成部が消費した前記消耗品の量を示す、請求項１に記載の画像形成装置。
【請求項３】
前記制御部は、前記交換部品が異なる交換部品に交換されてから前記被記録媒体に形成された画像に含まれるドット数の積算値に基づいて、前記消費量を算出する、請求項２に記載の画像形成装置。
【請求項４】
前記制御部は、前記消耗品の補給量が閾値以上になったか否かを判定し、前記補給量が前記閾値以上になったと判定した場合、前記移行期間が経過したと判定して前記制御モードを切り換え、
前記補給量は、前記交換部品が異なる交換部品に交換されてから前記交換部品が前記画像形成部に補給した前記消耗品の量を示す、請求項１に記載の画像形成装置。
【請求項５】
駆動部をさらに備え、
前記交換部品は、前記消耗品を収容する収容部と、回転駆動することによって前記収容部から前記消耗品を排出する排出部材とを有し、
前記駆動部は、前記排出部材を回転駆動させ、
前記制御部は、前記交換部品が異なる交換部品に交換されてからの前記駆動部の回転数または前記駆動部の駆動時間に基づいて、前記補給量を算出する、請求項４に記載の画像形成装置。
【請求項６】
前記第１設定と前記第２設定とは、前記駆動部の回転速度の設定を含み、前記第１設定の前記回転速度の設定と、前記第２設定の前記回転速度の設定とは異なる、請求項５に記載の画像形成装置。
【請求項７】
前記第２制御モードにおけるキャリブレーションの頻度は、前記第１制御モードにおけるキャリブレーションの頻度よりも多く、
前記キャリブレーションは、前記第１制御モードにおいて前記第１設定に含まれるパラメーターを調整する処理と、前記第２制御モードにおいて前記第２設定に含まれるパラメーターを調整する処理とを含む、請求項１から請求項６のいずれか１項に記載の画像形成装置。
【請求項８】
前記第２制御モードにおけるキャリブレーションに要する時間は、前記第１制御モードにおけるキャリブレーションに要する時間よりも長く、
前記キャリブレーションは、前記第１制御モードにおいて前記第１設定に含まれるパラメーターを調整する処理と、前記第２制御モードにおいて前記第２設定に含まれるパラメーターを調整する処理とを含む、請求項１から請求項７のいずれか１項に記載の画像形成装置。
【請求項９】
画面を表示する表示部をさらに備え、
前記制御部は、前記第２交換部品から前記第１交換部品に交換されたと判定した場合、前記移行期間内に前記第２設定に基づいて前記画像形成部を制御していることを示す画面を、前記表示部に表示させる、請求項１から請求項８のいずれか１項に記載の画像形成装置。
【請求項１０】
前記制御部は、前記交換部品が異なる交換部品に交換されてから前記移行期間の経過した後に前記制御モードを切り換える切り換え機能を解除する解除ボタンを前記表示部に表示させる、請求項９に記載の画像形成装置。
【請求項１１】
前記制御部は、
前記表示部にアイコン画像を表示させ、
前記画像形成部における前記第１交換部品の前記消耗品の量と前記第２交換部品の前記消耗品の量との割合に応じて、前記アイコン画像の濃度を変更するように前記表示部を制御する、請求項９または請求項１０に記載の画像形成装置。
【請求項１２】
前記制御部は、前記第１交換部品の濃度特性と、前記割合に応じた濃度特性とを比較する情報を前記表示部に表示させる、請求項１１に記載の画像形成装置。
【請求項１３】
前記制御部は、前記移行期間の間、前記制御モードを第３制御モードに切り換え、
前記第３制御モードでは、前記画像形成部における前記第１交換部品の前記消耗品の量と前記第２交換部品の前記消耗品の量との割合に応じた第３設定で前記画像形成部を制御する、請求項１から請求項１２のいずれか１項に記載の画像形成装置。
【請求項１４】
前記制御部は、前記交換部品が異なる交換部品に交換されてからの前記消耗品の消費量または補給量に基づいて前記割合を算出する、請求項１３に記載の画像形成装置。
【請求項１５】
消耗品を収容する交換部品が装着される装着部と、前記消耗品を消費することによって被記録媒体に画像を形成する画像形成部とを備える画像形成装置が実行する画像形成方法であって、
第１交換部品から第２交換部品に交換されたか否かを判定することと、
前記第２交換部品から前記第１交換部品に交換されたか否かを判定することと、
前記第１交換部品から前記第２交換部品に交換されたと判定した場合、移行期間を経過した後に制御モードを第２制御モードに切り換えることと、
前記第２交換部品から前記第１交換部品へ交換されたと判定した場合、前記移行期間を経過した後に前記制御モードを第１制御モードに切り換えることと
を包含し、
前記第１制御モードでは、前記第１交換部品に対応した第１設定に基づいて前記画像形成部は前記被記録媒体に画像を形成し、
前記第２制御モードでは、前記第２交換部品に対応した第２設定に基づいて前記画像形成部は前記被記録媒体に画像を形成する、画像形成方法。
【請求項１６】
表示部にアイコン画像を表示させることと、
前記画像形成部における前記第１交換部品の前記消耗品の量と前記第２交換部品の前記消耗品の量との割合に応じて、前記アイコン画像の濃度を変更することとをさらに包含する、請求項１５の画像形成方法。
【発明の詳細な説明】
【技術分野】
【０００１】
本発明は、画像形成装置および画像形成方法に関する。
【背景技術】
【０００２】
装着されている交換式カートリッジ（交換部品）が専用カートリッジであるか否かを判別する画像形成装置が知られている。このような画像形成装置として、特許文献１に記載の画像形成装置は、専用カートリッジではないカートリッジが装着されていると判別した場合に、専用カートリッジの動作モードとは異なる動作モードで動作させる。
【先行技術文献】
【特許文献】
【０００３】
【特許文献１】特開２００５−３２６７３１号公報
【発明の概要】
【発明が解決しようとする課題】
【０００４】
所定特性を有する消耗品を収容する交換部品を、特性の異なる消耗品（例えば、トナー）を収容する交換部品に変更した場合、画像形成装置の機内（例えば、現像装置内）に特性の異なる消耗品が混在する可能性がある。例えば、交換部品が第１交換部品から第２交換部品に交換された場合、画像形成装置の機内に第１交換部品のトナーと、第２交換部品のトナーが混在する可能性がある。
【０００５】
特許文献１に記載の画像形成装置では、画像形成装置の機内に特性の異なる消耗品が混在しているにもかかわらず、装着されている交換部品に応じた設定で被記録媒体に画像形成が行われる可能性がある。したがって、画像形成に使用されている消耗品に適した設定で被記録媒体に画像形成が行われない可能性がある。
【０００６】
本発明は上記課題に鑑みてなされたものであり、その目的は画像形成に使用されている消耗品に適した設定で被記録媒体に画像形成を行うことができる画像形成装置および画像形成方法を提供することにある。
【課題を解決するための手段】
【０００７】
本発明に係る画像形成装置は、装着部と、制御部と、画像形成部とを備える。前記装着部には、交換部品が装着される。前記交換部品は、消耗品を収容する。前記制御部は、前記装着部に装着された前記交換部品が第１交換部品であるか第２交換部品であるかを判定する。前記第２交換部品は、前記第１交換部品と異なる。前記画像形成部は、前記消耗品を消費することによって被記録媒体に画像を形成する。前記制御部は、制御モードを切り換える。前記制御モードは、第１制御モードと第２制御モードとを含む。前記制御部は、前記第１制御モードでは、前記第１交換部品に対応した第１設定に基づいて前記画像形成部を制御する。前記制御部は、前記第２制御モードでは、前記第２交換部品に対応した第２設定に基づいて前記画像形成部を制御する。前記制御部は、前記第１交換部品から前記第２交換部品に交換されたと判定した場合、移行期間を経過した後に前記制御モードを前記第２制御モードに切り換える。前記制御部は、前記第２交換部品から前記第１交換部品へ交換されたと判定した場合、前記移行期間を経過した後に前記制御モードを前記第１制御モードに切り換える。
【０００８】
本発明に係る画像形成方法は、消耗品を収容する交換部品が装着される装着部と、前記消耗品を消費することによって被記録媒体に画像を形成する画像形成部とを備える画像形成装置が実行する。前記画像形成方法は、第１交換部品から第２交換部品に交換されたか否かを判定することと、前記第２交換部品から前記第１交換部品に交換されたか否かを判定することと、前記第１交換部品から前記第２交換部品に交換されたと判定した場合、移行期間を経過した後に制御モードを第２制御モードに切り換えることと、前記第２交換部品から前記第１交換部品へ交換されたと判定した場合、前記移行期間を経過した後に前記制御モードを第１制御モードに切り換えることとを包含する。前記第１制御モードでは、前記第１交換部品に対応した第１設定に基づいて前記画像形成部は前記被記録媒体に画像を形成する。前記第２制御モードでは、前記第２交換部品に対応した第２設定に基づいて前記画像形成部は前記被記録媒体に画像を形成する。
【発明の効果】
【０００９】
本発明によれば、画像形成に使用されている消耗品に適した設定で被記録媒体に画像形成を行うことができる。
【図面の簡単な説明】
【００１０】
【図１】画像形成装置の構成図である。
【図２】画像形成装置を示す図である。
【図３】交換部品と制御モードとのタイミングチャートを示す。
【図４】本発明の実施形態１に係る制御部の制御モードの切り換え方法を示すフローチャートである。
【図５】本発明の実施形態１に係る制御部の制御モードの切り換え方法を示すフローチャートである。
【図６】制御部の移行期間が経過したか否かの判定方法を示すフローチャートである。
【図７】制御部の移行期間が経過したか否かの判定方法を示すフローチャートである。
【図８】（ａ）および（ｂ）は、画像形成装置の操作パネルを示す図である。
【図９】画像形成装置の操作パネルを示す図である。
【図１０】交換部品と制御モードとのタイミングチャートを示す。
【図１１】本発明の実施形態２に係る制御部の制御モードの切り換え方法を示すフローチャートである。
【図１２】本発明の実施形態２に係る制御部の制御モードの切り換え方法を示すフローチャートである。
【図１３】（ａ）は、画像形成装置の操作パネルを示す図である。（ｂ）〜（ｄ）は、アイコン画像を示す図である。
【図１４】（ａ）〜（ｃ）は、アイコン画像を示す図である。
【図１５】画像形成装置の操作パネルを示す図である。
【発明を実施するための形態】
【００１１】
以下、本発明の実施形態について、図面を参照しながら説明する。なお、図中、同一または相当部分については同一の参照符号を付して説明を繰り返さない。
【００１２】
［実施形態１］
図１を参照して、本発明の実施形態１に係る画像形成装置１００の構成を説明する。図１は、画像形成装置１００の構成図である。画像形成装置１００は、例えば、複写機、プリンター、または複合機である。以下では、一例として、画像形成装置１００がプリンター機能と複写機能とファクシミリ機能とを有するモノクロ複合機である場合について説明する。
【００１３】
画像形成装置１００は、補給部２０、駆動部ＭＴ、記憶部５０、制御部１０、通信部６０、表示部３０、入力部４０、原稿読取部７０、画像形成ユニット８０、給送部９０、搬送部９１、および排出部９２を備える。なお、原稿読取部７０、画像形成ユニット８０、給送部９０、搬送部９１、および排出部９２の構成については、図２を参照して、表示部３０および入力部４０の構成については、図８を参照して、それぞれ後述する。
【００１４】
補給部２０は、装着部２１と部品読取部２２とを含む。補給部２０は、画像形成ユニット８０に消耗品ＣＴを補給する。具体的には、装着部２１には、交換部品Ｃが着脱可能に装着される。
【００１５】
交換部品Ｃは、例えば、トナーコンテナである。交換部品Ｃは、収容部ＣＡと、排出部材ＣＢとを有する。収容部ＣＡは、消耗品ＣＴを収容する。排出部材ＣＢは、回転駆動することによって収容部ＣＡから消耗品ＣＴを排出する。交換部品Ｃには、記憶素子ＣＭが取り付けられている。消耗品ＣＴは、例えば、画像形成ユニット８０に供給されるトナー（例えば、ブラック色）である。トナーは、複数のトナー粒子で構成される。記憶素子ＣＭは、例えば、無線タグ（ＲＦタグ）である。記憶素子ＣＭには、交換部品Ｃに関する管理情報（例えば、製造元情報、型式番号、製造ロット番号、消耗品ＣＴの特性）が記憶されている。以下、「交換部品Ｃに関する管理情報」を「交換部品情報」と記載する。交換部品Ｃは、第１交換部品と、第１交換部品と異なる第２交換部品とを含む。第１交換部品は、例えば、画像形成装置１００の専用品を示す。第２交換部品は、例えば、専用品と異なる交換部品を示す。例えば、第２交換部品に収容されるトナーの特性は、第１交換部品に収容されるトナーの特性と異なる。
【００１６】
部品読取部２２は、例えば、ＲＦリーダーである。部品読取部２２は、交換部品Ｃが装着部２１に装着されると、記憶素子ＣＭに記憶されている交換部品情報を読み取る。部品読取部２２は、交換部品情報を示す信号を制御部１０に送信する。
【００１７】
駆動部ＭＴは、例えば、モーターである。駆動部ＭＴは、排出部材ＣＢを回転駆動させる。駆動部ＭＴが排出部材ＣＢを回転駆動させることによって、排出部材ＣＢは収容部ＣＡから消耗品ＣＴを排出する。その結果、画像形成ユニット８０に消耗品ＣＴが補給される。
【００１８】
記憶部５０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部５０は、外部メモリーを含んでいてもよい。外部メモリーは、リムーバブルメディアである。記憶部５０は、外部メモリーとして、例えば、ＵＳＢ（Ｕｎｉｖｅｒｓａｌ  Ｓｅｒｉａｌ  Ｂｕｓ）メモリー、およびＳＤ（Ｓｅｃｕｒｅ  Ｄｉｇｉｔａｌ）カードを含む。記憶部５０は、各種のデータ、および、画像形成装置１００の各部の動作を制御するための制御プログラムを記憶する。制御プログラムは、制御部１０によって実行される。記憶部５０には、各種のデータとして、第１交換部品情報が予め記憶されている。第１交換部品情報は、例えば、第１交換部品の製造元情報、および型式番号を示す情報である。
【００１９】
制御部１０は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部１０は、記憶部５０に記憶された制御プログラムをプロセッサーが読み出して実行することによって、画像形成装置１００の各部の動作を制御する。制御部１０は、画像形成ユニット８０による消耗品ＣＴを消費する動作を制御する。
【００２０】
制御部１０は、交換部品Ｃが第１交換部品であるか第２交換部品であるかを判定する。制御部１０は、例えば、画像形成装置１００の起動時に、ＲＦＩＤ（Ｒａｄｉｏ  Ｆｒｅｑｕｅｎｃｙ  Ｉｄｅｎｔｉｆｉｃａｔｉｏｎ：無線自動認識）を実行するように部品読取部２２の動作を制御する。制御部１０は、部品読取部２２から送信される交換部品情報と、記憶部５０に記憶されている第１交換部品情報とを比較することによって、交換部品Ｃが第１交換部品であるか第２交換部品であるかを判定する。
【００２１】
通信部６０は、ネットワークＮを介して各種の外部端末装置Ｅと通信可能に接続される。ネットワークＮは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、および電話回線を含む。外部端末装置Ｅは、例えば、パーソナルコンピューター、タブレット端末装置、およびファクシミリ装置を含む。通信部６０は、ネットワークＮを介して外部端末装置Ｅとの間で各種のデータを送受信する。各種のデータは、例えば、印刷ジョブデータ、Ｅメールデータおよびファクシミリデータを含む。
【００２２】
続いて、図２を参照して、原稿読取部７０、画像形成ユニット８０、給送部９０、搬送部９１、および排出部９２の構成について説明する。図２は、画像形成装置１００を示す図である。
【００２３】
原稿読取部７０は、原稿Ｇ（例えば、コピー印刷するための原稿）の画像を読み取る。給送部９０は、複数の被記録媒体Ｓを収容し、搬送部９１へ被記録媒体Ｓを給送する。被記録媒体Ｓは、例えば、紙製または合成樹脂製の被記録媒体である。搬送部９１は、複数の搬送ローラー対を含み、画像形成ユニット８０に被記録媒体Ｓを搬送する。画像形成ユニット８０は、消耗品ＣＴを消費することによって被記録媒体Ｓに画像を形成する。詳しくは、画像形成ユニット８０は、電子写真方式によって被記録媒体Ｓに印刷画像を形成し、印刷画像を加熱および加圧して被記録媒体Ｓに印刷画像を定着させる。具体的には、画像形成ユニット８０は、感光体ドラムと、帯電装置と、露光装置と、現像装置と、転写装置と、クリーニング装置と、除電装置と、定着装置とを含む。画像形成ユニット８０は、「画像形成部」の一例に相当する。印刷画像は、例えば、原稿Ｇの画像、画像形成装置１００のステータスページを示す画像、記憶部５０に記憶されているデータに対応する画像、または、外部端末装置Ｅから受信したデータに対応する画像である。搬送部９１は、印刷画像の定着された被記録媒体Ｓを排出部９２に搬送する。排出部９２は画像形成装置１００の外部に被記録媒体Ｓを排出する。
【００２４】
制御部１０は、制御モードを切り替える。制御モードは、第１制御モードと第２制御モードとを含む。第１制御モードでは、制御部１０は、第１交換部品に対応した第１設定に基づいて画像形成部を制御する。第１設定には、パラメーターが含まれる。パラメーターは、例えば、駆動部ＭＴの回転速度、消耗品ＣＴの濃度、感光体ドラムに印加する電圧および定着装置の温度を含む。一方、第２制御モードでは、制御部１０は、第２交換部品に対応した第２設定に基づいて画像形成ユニット８０を制御する。第２設定には、パラメーターが含まれる。パラメーターは、例えば、駆動部ＭＴの回転速度、消耗品ＣＴの濃度、感光体ドラムに印加する電圧および定着装置の温度を含む。第１設定のパラメーターと、第２設定のパラメーターとは値が異なる。例えば、第２設定に含まれる駆動部ＭＴの回転速度のパラメーターは、第１設定に含まれる駆動部ＭＴの回転速度のパラメーターよりも小さい。すなわち、制御部１０は、第２制御モードでは、第１制御モードよりも駆動部ＭＴの回転速度が遅くなるように制御する。
【００２５】
また、画像形成装置１００は、キャリブレーション動作（例えば、現像装置のリフレッシュ動作、および感光体ドラムのリフレッシュ動作）を実行することがある。キャリブレーションは、第１制御モードにおいて第１設定に含まれるパラメーターを調整する処理と、第２制御モードにおいて第２設定に含まれるパラメーターを調整する処理とを含む。キャリブレーション動作は、交換部品Ｃの消耗品ＣＴの特性を生かした画質（光沢、線の太さ、発色等）を維持するために、例えば、画像形成装置１００の起動時、および、所定枚数の印刷動作毎に実行される。
【００２６】
第２制御モードにおけるキャリブレーションの頻度は、第１制御モードにおけるキャリブレーションの頻度よりも多い。したがって、交換部品Ｃが第２交換部品に交換された場合であっても、使用されている消耗品ＣＴに適した設定で被記録媒体に画像形成を行うことができる。
【００２７】
また、第２制御モードにおけるキャリブレーションに要する時間は、第１制御モードにおけるキャリブレーションに要する時間よりも長い。したがって、交換部品Ｃが第２交換部品に交換された場合であっても、使用されている消耗品ＣＴに適した設定で被記録媒体に画像形成を行うことができる。
【００２８】
制御部１０は、装着部２１に装着された交換部品Ｃが第１交換部品から第２交換部品に交換されたと判定した場合、移行期間を経過した後に制御モードを第２制御モードに切り換える。一方、制御部１０は、装着部２１に装着された交換部品が第２交換部品から第１交換部品へ交換されたと判定した場合、移行期間を経過した後に制御モードを第１制御モードに切り換える。
【００２９】
図１〜図３を参照して、本発明の実施形態１に係る画像形成装置１００の制御モードの切り換え方法について説明する。図３は、交換部品Ｃと制御モードとのタイミングチャートを示す。
【００３０】
図３において、交換部品Ｃは、装着部２１に装着されている交換部品を示す。すなわち、装着部２１に装着された交換部品Ｃが第１交換部品であるか第２交換部品であるかを、制御部１０が判定した結果を示す。また、図３において、制御モードは、制御部１０が切り換えた制御モードを示す。また、図３において、移行期間Ｔは、交換部品Ｃが異なる交換部品Ｃに交換されてから、制御部１０が制御モードを切り換えるまでの期間を示す。本実施形態において、時刻ｔ１から時刻ｔ２までの期間と、時刻ｔ３から時刻ｔ４までの期間とが移行期間Ｔである。移行期間Ｔは、例えば、第１交換部品の消耗品ＣＴと、第２交換部品の消耗品ＣＴとが混在する期間である。
【００３１】
図３に示すように、時刻ｔ０において、装着部２１には第１交換部品が装着されている。したがって、制御部１０は、装着部２１に第１交換部品が装着されていると判定する。
【００３２】
時刻ｔ１において、装着部２１に装着された交換部品Ｃが第１交換部品から第２交換部品に交換される。したがって、制御部１０は、装着部２１に装着された交換部品が第１交換部品から第２交換部品に交換されたと判定する。
【００３３】
時刻ｔ２において、制御部１０は、交換部品Ｃが第１交換部品から第２交換部品に交換されてから、移行期間Ｔが経過したと判定する。移行期間Ｔが経過したか否かの判定は、消耗品ＣＴの消費量または消耗品ＣＴの補給量に基づいて行われる。移行期間Ｔが経過したか否かの判定は、図６および図７を参照して後述する。
【００３４】
一般的に、交換部品Ｃが第１交換部品から第２交換部品に交換された場合、画像形成装置１００の機内（例えば、現像装置内）に第１交換部品の消耗品ＣＴと、第２交換部品の消耗品ＣＴとが混在する可能性がある。そこで、制御部１０は、交換部品Ｃが第１交換部品から第２交換部品に交換されたと判定した場合、移行期間Ｔの経過した後に制御モードを第２制御モードに切り換える。すなわち、時刻ｔ１から時刻ｔ２までの移行期間Ｔでは、交換部品Ｃが第２交換部品に交換されているものの、制御部１０は第１制御モードを維持する。したがって、画像形成装置１００の機内に残留する第１交換部品の消耗品ＣＴが十分に無くなってから、制御モードを第２制御モードに切り換える。その結果、画像形成に使用されている消耗品ＣＴに適した設定で被記録媒体Ｓに画像形成を行うことができる。
【００３５】
時刻ｔ３において、装着部２１に装着された交換部品Ｃが第２交換部品から第１交換部品に交換される。したがって、制御部１０は、装着部２１に装着された交換部品Ｃが第２交換部品から第１交換部品に交換されたと判定する。
【００３６】
時刻ｔ４において、制御部１０は、交換部品Ｃが第２交換部品から第１交換部品に交換されてから、移行期間Ｔが経過したと判定する。移行期間Ｔが経過したか否かの判定は、消耗品ＣＴの消費量または消耗品ＣＴの補給量に基づいて行われる。移行期間Ｔが経過したか否かの判定は、図６および図７を参照して後述する。
【００３７】
一般的に、交換部品Ｃが第２交換部品から第１交換部品に交換された場合、画像形成装置１００の機内（例えば、現像装置内）に第１交換部品の消耗品ＣＴと、第２交換部品の消耗品ＣＴが混在する可能性がある。そこで、制御部１０は、交換部品Ｃが第２交換部品から第１交換部品に交換されたと判定した場合、移行期間Ｔの経過した後に制御モードを第１制御モードに切り換える。すなわち、時刻ｔ３から時刻ｔ４までの移行期間Ｔでは、交換部品Ｃが第１交換部品に交換されているものの、制御部１０は第２制御モードを維持する。したがって、制御部１０は、画像形成装置１００の機内に残留する第２交換部品の消耗品ＣＴが十分に無くなってから、制御モードを第１制御モードに切り換える。その結果、画像形成に使用されている消耗品ＣＴに適した設定で被記録媒体Ｓに画像形成を行うことができる。
【００３８】
なお、移行期間Ｔは、第１制御モードから第２制御モードに切り換える場合の移行期間Ｔ（時刻ｔ１から時刻ｔ２までの期間）と、第２制御モードから第１制御モードに切り換える場合の移行期間Ｔ（時刻ｔ３から時刻ｔ４までの期間）とで同じであっても良いし、異なっていても良い。例えば、第１制御モードから第２制御モードに切り換える場合の移行期間Ｔは、第２制御モードから第１制御モードに切り換える場合の移行期間Ｔよりも長くても良い。
【００３９】
図１〜図４を参照して、制御部１０の制御モードの切り換え方法について説明する。図４は、本発明の実施形態１に係る制御部１０の制御モードの切り換え方法を示すフローチャートである。図４は、第１交換部品から第２交換部品へ交換された場合の制御モードの切り換え方法を示すフローチャートである。図４に示すステップＳ１０２〜ステップＳ１０６の処理が実行されることによって、制御モードの切り換えが行われる。
【００４０】
ステップＳ１０２：制御部１０は、装着部２１に装着されている交換部品Ｃが、第１交換部品から第２交換部品に交換されたか否かを判定する。制御部１０が、装着部２１に装着されている交換部品Ｃが、第１交換部品から第２交換部品に交換されていないと判定した場合（ステップＳ１０２：Ｎｏ）、処理は、ステップＳ１０２に戻る。制御部１０が装着部２１に装着されている交換部品Ｃが、第１交換部品から第２交換部品に交換されたと判定した場合（ステップＳ１０２：Ｙｅｓ）、処理は、ステップＳ１０４に進む。
【００４１】
ステップＳ１０４：制御部１０は、移行期間Ｔが経過したか否かを判定する。制御部１０は、例えば、消耗品ＣＴの消費量または消耗品ＣＴの補給量に基づいて移行期間Ｔが経過したか否かを判定する。制御部１０の移行期間Ｔが経過したか否かの判定方法は、図６および図７を参照して後述する。制御部１０が、移行期間Ｔが経過していないと判定した場合（ステップＳ１０４：Ｎｏ）、処理は、ステップＳ１０４に戻る。制御部１０が、移行期間Ｔが経過したと判定した場合（ステップＳ１０４：Ｙｅｓ）、処理は、ステップＳ１０６に進む。
【００４２】
ステップＳ１０６：制御部１０は、制御モードを第２制御モードに切り換える。処理は、終了する。
【００４３】
続いて、図１〜図３および図５を参照して、制御部１０の制御モードの切り換え方法について説明する。図５は、本発明の実施形態１に係る制御部１０の制御モードの切り換え方法を示すフローチャートである。図５は、第２交換部品から第１交換部品へ交換された場合の制御モードの切り換え方法のフローチャートを示す。図５に示すステップＳ２０２〜ステップＳ２０６の処理が実行されることによって、制御モードの切り換えが行われる。
【００４４】
ステップＳ２０２：制御部１０は、装着部２１に装着されている交換部品Ｃが、第２交換部品から第１交換部品に交換されたか否かを判定する。制御部１０が、装着部２１に装着されている交換部品Ｃが、第２交換部品から第１交換部品に交換されていないと判定した場合（ステップＳ２０２：Ｎｏ）、処理は、ステップＳ２０２に戻る。制御部１０が装着部２１に装着されている交換部品Ｃが、第２交換部品から第１交換部品に交換されたと判定した場合（ステップＳ２０２：Ｙｅｓ）、処理は、ステップＳ２０４に進む。
【００４５】
ステップＳ２０４：制御部１０は、移行期間Ｔが経過したか否かを判定する。制御部１０は、例えば、消耗品ＣＴの消費量または消耗品ＣＴの補給量に基づいて移行期間Ｔが経過したか否かを判定する。制御部１０の移行期間Ｔが経過したか否かの判定方法は、図６および図７を参照して後述する。制御部１０が、移行期間Ｔが経過していないと判定した場合（ステップＳ２０４：Ｎｏ）、処理は、ステップＳ２０４に戻る。制御部１０が、移行期間Ｔが経過したと判定した場合（ステップＳ２０４：Ｙｅｓ）、処理は、ステップＳ２０６に進む。
【００４６】
ステップＳ２０６：制御部１０は、制御モードを第１制御モードに切り換える。処理は、終了する。
【００４７】
図１〜図３および図６を参照して、制御部１０の移行期間Ｔが経過したか否かの判定方法について説明する。図６は、制御部１０の移行期間Ｔが経過したか否かの判定方法を示すフローチャートである。図６に示すステップＳ３０２〜ステップＳ３１４の処理が実行されることによって、移行期間Ｔが経過したか否かの判定が行われる。
【００４８】
ステップＳ３０２：制御部１０は、消耗品ＣＴの消費量をクリアする。詳しくは、装着部２１に装着される交換部品Ｃが異なる交換部品Ｃに交換された場合、制御部１０は消耗品ＣＴの消費量をクリアする。より詳しくは、装着部２１に装着される交換部品Ｃが第１交換部品から第２交換部品に交換された場合、制御部１０は消耗品ＣＴの消費量をクリアする。あるいは、装着部２１に装着される交換部品Ｃが第２交換部品から第１交換部品に交換された場合、制御部１０は消耗品ＣＴの消費量をクリアする。処理は、ステップＳ３０４に進む。
【００４９】
ステップＳ３０４：制御部１０は、印刷ジョブがあるか否かを判定する。制御部１０が、印刷ジョブが無いと判定した場合（ステップＳ３０４：Ｎｏ）、処理は、ステップＳ３０４に戻る。制御部１０が、印刷ジョブがあると判定した場合（ステップＳ３０４：Ｙｅｓ）、処理は、ステップＳ３０６に進む。
【００５０】
ステップＳ３０６：画像形成ユニット８０が印刷を実行する。すなわち、画像形成ユニット８０が、被記録媒体Ｓに画像を形成する。処理は、ステップＳ３０８に進む。
【００５１】
ステップＳ３０８：制御部１０は、消耗品ＣＴの消費量を取得する。例えば、制御部１０は、交換部品Ｃが異なる交換部品Ｃに交換されてから被記録媒体Ｓに形成された画像に含まれるドット数の積算値に基づいて、消費量を算出する。消費量は、交換部品Ｃが異なる交換部品Ｃに交換されてから画像形成ユニット８０が消費した消耗品ＣＴの量を示す。処理は、ステップＳ３１０に進む。
【００５２】
ステップＳ３１０：制御部１０は、印刷ジョブが完了したか否かを判定する。制御部１０が、印刷ジョブが完了していないと判定した場合（ステップＳ３１０：Ｎｏ）、処理は、ステップＳ３０６に戻り、再び、画像形成ユニット８０が印刷を実行する。印刷ジョブが完了するまで、ステップＳ３０６〜ステップＳ３１０の処理が、繰り返し実行される。制御部１０が、印刷ジョブが完了したと判定した場合（ステップＳ３１０：Ｙｅｓ）、処理は、ステップＳ３１２に進む。
【００５３】
ステップＳ３１２：制御部１０は、消費量が閾値以上になったか否かを判定する。制御部１０が、消費量が閾値以上になっていないと判定した場合（ステップＳ３１２：Ｎｏ）、処理は、ステップＳ３０４に戻る。制御部１０が、消費量が閾値以上になったと判定した場合（ステップＳ３１２：Ｙｅｓ）、処理は、ステップＳ３１４に進む。
【００５４】
ステップＳ３１４：制御部１０は、移行期間Ｔが経過したと判定する。処理は、終了する。
【００５５】
図６に示した判定方法では、消耗品ＣＴの消費量が閾値以上になったと判定した場合、移行期間Ｔが経過したと判定していたが、消耗品ＣＴの補給量が閾値以上になったと判定した場合、移行期間Ｔが経過したと判定してもよい。
【００５６】
図１〜図３および図７を参照して、制御部１０の移行期間Ｔが経過したか否かの判定方法について説明する。図７は、制御部１０の移行期間Ｔが経過したか否かの判定方法を示すフローチャートである。図７に示すステップＳ４０２〜ステップＳ４１４の処理が実行されることによって、移行期間Ｔが経過したか否かの判定が行われる。図７に示したフローチャートは、消費量の代わり補給量に基づいて移行期間Ｔが経過したと判定する点を除いて、図６に示したフローチャートと同様の処理を行うため、重複部分については説明を省略する。
【００５７】
ステップＳ４０２：制御部１０は、消耗品ＣＴの補給量をクリアする。詳しくは、装着部２１に装着される交換部品Ｃが、異なる交換部品Ｃに交換された場合、制御部１０は消耗品ＣＴの補給量をクリアする。より詳しくは、装着部２１に装着される交換部品Ｃが第１交換部品から第２交換部品に交換された場合、制御部１０は消耗品ＣＴの補給量をクリアする。あるいは、装着部２１に装着される交換部品Ｃが第２交換部品から第１交換部品に交換された場合、制御部１０は消耗品ＣＴの補給量をクリアする。処理は、ステップＳ４０４に進む。
【００５８】
ステップＳ４０４〜ステップＳ４０６：図６に示したステップＳ３０４〜ステップＳ３０６と同様の処理が行われる。
【００５９】
ステップＳ４０８：制御部１０は、消耗品ＣＴの補給量を取得する。例えば、制御部１０は、交換部品Ｃが異なる交換部品Ｃに交換されてからの駆動部ＭＴの回転数または駆動部ＭＴの駆動時間に基づいて、補給量を算出する。補給量は、交換部品Ｃが異なる交換部品Ｃに交換されてから交換部品Ｃが画像形成部に補給した消耗品ＣＴの量を示す。処理は、ステップＳ４１０に進む。
【００６０】
ステップＳ４１０：図６に示したステップＳ３１０と同様の処理が行われる。
【００６１】
ステップＳ４１２：制御部１０は、補給量が閾値以上になったか否かを判定する。制御部１０が、補給量が閾値以上になっていないと判定した場合（ステップＳ４１２：Ｎｏ）、処理は、ステップＳ４０４に戻る。制御部１０が、補給量が閾値以上になったと判定した場合（ステップＳ４１２：Ｙｅｓ）、処理は、ステップＳ４１４に進む。
【００６２】
ステップＳ４１４：制御部１０は、移行期間Ｔが経過したと判定する。処理は、終了する。
【００６３】
続いて、図８（ａ）および図８（ｂ）を参照して、表示部３０と入力部４０との構成について説明する。図８（ａ）および図８（ｂ）は、画像形成装置１００の操作パネルを示す図である。
【００６４】
図８（ａ）に示すように、表示部３０は、ソフトウェアボタンを表示可能なタッチパネル機能を有するディスプレーであり、操作パネルに配置される。このようなタッチパネル機能は、表示部３０と入力部４０とを兼ね得る。表示部３０は、画面Ｍを表示する。表示部３０は、例えば、ユーザーがコピー印刷機能を実行する際に、「コピーできます。［１枚／Ａ４］」のようなメッセージ画像を表示する。
【００６５】
入力部４０は、例えば、タッチパネル機能と種々のハードウェアボタンとを有する操作パネルである。入力部４０には、ユーザーによる指示が入力される。ハードウェアボタンは、スタートボタン４１を含む。スタートボタン４１は、画像形成装置１００の動作の実行を開始する指示を入力するためのボタンである。ユーザーは、スタートボタン４１を押下することによって、例えば、消費開始指示を入力する。消費開始指示は、消耗品ＣＴを消費する機能（例えば、コピー印刷機能）の実行を開始するための指示を示す。
【００６６】
図８（ｂ）に示すように、制御部１０は、第２交換部品から第１交換部品に交換されたと判定した場合、移行期間内に第２設定に基づいて画像形成ユニット８０を制御していることを示す画面Ｍ１を、表示部３０に表示させる。例えば、画面Ｍ１は、「第２設定に基づいて画像を形成しています。」のような通知文を示す画面である。ユーザーは画面Ｍ１を確認することによって、装着部２１に第１交換部品を装着しているものの、第２交換部品に対応した第２設定に基づいて画像が形成していることを認識することができる。
【００６７】
なお、ユーザーの要求に応じて、交換部品Ｃが異なる交換部品Ｃに交換（例えば、第１交換部品から第２交換部品に交換）されてから移行期間Ｔの経過した後に、制御モードを切り換える切り換え機能を解除できるようにしてもよい。図９を参照して、制御モードの切り換え機能の解除設定画面Ｍ２について説明する。図９は、画像形成装置１００の操作パネルを示す図である。
【００６８】
図９に示すように、制御部１０は、交換部品Ｃが異なる交換部品Ｃに交換されてから移行期間Ｔの経過した後に解除設定画面Ｍ２を表示部３０に表示させる。解除設定画面Ｍ２は、制御モードを切り換える切り換え機能を解除するための画面である。解除設定画面Ｍ２は、例えば、「切り換え機能を解除しますか？」のような通知文を示す画面である。制御部１０は、例えば、解除設定画面Ｍ２を印刷ジョブが開始される毎に、または、起動時毎に表示部３０に表示させる。
【００６９】
さらに、解除設定画面Ｍ２は、解除ボタン４３と、解除中止ボタン４４とを含む。解除ボタン４３および解除中止ボタン４４は、例えば、ソフトウェアボタンである。
【００７０】
ユーザーによって解除ボタン４３がタッチされることによって、制御部１０は、切換機能を解除する。すなわち、制御部１０は、交換部品Ｃが異なる交換部品に交換されてから移行期間Ｔを待たずに、制御モードを切り換えるように制御する。
【００７１】
一方、ユーザーによって解除中止ボタン４４がタッチされることによって、制御部１０は、切換機能を有効にする。すなわち、制御部１０は、交換部品Ｃが異なる交換部品Ｃに交換されてから移行期間Ｔの経過した後に制御モードを切り換えるように制御する。
【００７２】
以上、図１〜図９を参照して説明したように、制御部１０は、第１交換部品から第２交換部品に交換されたと判定した場合、移行期間Ｔを経過した後に制御モードを第２制御モードに切り換える。したがって、画像形成装置１００の機内に残留する第１交換部品の消耗品ＣＴが十分に無くなってから、制御モードを第２制御モードに切り換える。その結果、画像形成に使用されている消耗品ＣＴに適した設定で被記録媒体Ｓに画像形成を行うことができる。
【００７３】
一方、制御部１０は、第２交換部品から第１交換部品へ交換されたと判定した場合、移行期間Ｔを経過した後に制御モードを第１制御モードに切り換える。したがって、画像形成装置１００の機内に残留する第２交換部品の消耗品ＣＴが十分に無くなってから、制御モードを第１制御モードに切り換える。その結果、画像形成に使用されている消耗品ＣＴに適した設定で被記録媒体Ｓに画像形成を行うことができる。
【００７４】
［実施形態２］
図１、図２および図１０を参照して、本発明の実施形態２に係る画像形成装置１００の制御モードの切り換え方法について説明する。図１０は、交換部品Ｃと制御モードとのタイミングチャートを示す。実施形態２に係る制御モードの切り換え方法は、制御部１０が、移行期間Ｔの間、制御モードを第３制御モードに切り換える点を除いて、実施形態１に係る制御モードの切り換え方法と同様であるため、重複部分については説明を省略する。
【００７５】
図１０において、交換部品Ｃは、装着部２１に装着されている交換部品を示す。すなわち、装着部２１に装着された交換部品Ｃが第１交換部品であるか第２交換部品であるかを、制御部１０が判定した結果を示す。また、図３において、制御モードは、制御部１０が切り換えた制御モードを示す。また、図３において、移行期間Ｔは、交換部品Ｃが異なる交換部品Ｃに交換されてから、制御部１０が制御モードを切り換えるまでの期間を示す。本実施形態において、時刻ｔ１から時刻ｔ２までの期間と、時刻ｔ３から時刻ｔ４までの期間とが移行期間Ｔである。
【００７６】
本実施形態では、制御モードは、第１制御モードと、第２制御モードと、第３制御モードとを含む。本実施形態では、制御部１０は、移行期間Ｔの間、制御モードを第３制御モードに切り換える。第３制御モードでは、制御部１０は、第３設定で画像形成部を制御する。第３設定は、画像形成ユニット８０における第１交換部品の消耗品ＣＴの量と第２交換部品の消耗品ＣＴの量との割合に応じた設定である。以下、本明細書において、画像形成ユニット８０における第１交換部品の消耗品ＣＴの量と第２交換部品の消耗品ＣＴの量との割合を、混在割合と記載することがある。例えば、制御部１０は、交換部品Ｃが異なる交換部品Ｃに交換されてからの消耗品ＣＴの消費量または補給量に基づいて割合を算出する。詳しくは、記憶部５０には、例えば、画像形成装置１００の出荷前に駆動部ＭＴの回転数に対応付けて、実験的に取得された混在割合が記憶されている。制御部１０は、交換部品Ｃが異なる交換部品Ｃに交換されてからの駆動部ＭＴの回転数を検出し、検出された駆動部ＭＴの回転数に対応する混在割合を特定する。その結果、制御部１０は、混在割合を算出することができる。
【００７７】
第３設定には、パラメーターが含まれる。パラメーターは、例えば、駆動部ＭＴの回転速度、消耗品ＣＴの濃度、感光体ドラムに印加する電圧および定着装置の温度を含む。第３設定のパラメーターは、画像形成ユニット８０における第１交換部品の消耗品ＣＴの量と第２交換部品の消耗品ＣＴの量との割合に応じた設定である。第３設定のパラメーターは、例えば、第１設定のパラメーターと、第２設定のパラメーターとの間で混在割合に応じて変化する。例えば、第３設定に含まれる駆動部ＭＴの回転速度のパラメーターは、第２交換部品の消耗品ＣＴの割合が増加するにつれて遅くなる。
【００７８】
図１０に示すように、時刻ｔ０において、装着部２１には第１交換部品が装着されている。したがって、制御部１０は、装着部２１に第１交換部品が装着されていると判定する。
【００７９】
時刻ｔ１において、装着部２１に装着された交換部品Ｃが第１交換部品から第２交換部品に交換される。したがって、制御部１０は、装着部２１に装着された交換部品Ｃが第１交換部品から第２交換部品に交換されたと判定する。
【００８０】
時刻ｔ２において、制御部１０は、交換部品Ｃが第１交換部品から第２交換部品に交換されてから、移行期間Ｔが経過したと判定する。移行期間Ｔが経過したか否かの判定は、実施形態１と同様に、消耗品ＣＴの消費量または消耗品ＣＴの補給量に基づいて行われる。
【００８１】
本実施形態では、制御部１０は、移行期間Ｔの間、制御モードを第３制御モードに切り換える。すなわち、第１交換部品の消耗品ＣＴと、第２交換部品の消耗品ＣＴとが混在する期間に、制御部１０は、混在割合に応じた第３設定で画像形成ユニット８０を制御する。したがって、画像形成に使用されている消耗品ＣＴに適した設定で被記録媒体Ｓに画像形成を行うことができる。
【００８２】
時刻ｔ３において、装着部２１に装着された交換部品Ｃが第２交換部品から第１交換部品に交換される。したがって、制御部１０は、装着部２１に装着された交換部品Ｃが第２交換部品から第１交換部品に交換されたと判定する。
【００８３】
時刻ｔ４において、制御部１０は、交換部品Ｃが第２交換部品から第１交換部品に交換されてから、移行期間Ｔが経過したと判定する。移行期間Ｔが経過したか否かの判定は、消耗品ＣＴの消費量または消耗品ＣＴの補給量に基づいて行われる。
【００８４】
本実施形態では、制御部１０は、移行期間Ｔの間、制御モードを第３制御モードに切り換える。すなわち、第１交換部品の消耗品ＣＴと、第２交換部品の消耗品ＣＴとが混在する期間に、制御部１０は、混在割合に応じた第３設定で画像形成ユニット８０を制御する。したがって、画像形成に使用されている消耗品ＣＴに適した設定で被記録媒体Ｓに画像形成を行うことができる。
【００８５】
続いて、図１、図２および図１１を参照して、制御部１０の制御モードの切り換え方法について説明する。図１１は、本発明の実施形態２に係る制御部１０の制御モードの切り換え方法を示すフローチャートである。図１１は、第１交換部品から第２交換部品へ交換された場合の制御モードの切り換え方法のフローチャートを示す。図１１に示すステップＳ５０２〜ステップＳ５０８の処理が実行されることによって、制御モードの切り換えが行われる。図１１に示したフローチャートは、移行期間Ｔの間、制御部１０が制御モードを第３制御モードに切り換える点を除いて、図４に示したフローチャートと同様の処理を行うため、重複部分については説明を省略する。
【００８６】
図１１に示すように、本実施形態では、制御部１０が、装着部２１に装着されている交換部品Ｃが、第１交換部品から第２交換部品に交換されたと判定した場合（ステップＳ５０２：Ｙｅｓ）、制御部１０は、制御モードを第３制御モードに切り換える（ステップＳ５０４）。また、制御部１０が、移行期間Ｔが経過したと判定した場合（ステップＳ５０６：Ｙｅｓ）、制御部１０は、制御モードを第２制御モードに切り換える（ステップＳ５０８）。
【００８７】
続いて、図１、図２および図１２を参照して、制御部１０の制御モードの切り換え方法について説明する。図１２は、本発明の実施形態２に係る制御部１０の制御モードの切り換え方法を示すフローチャートである。図１２は、第２交換部品から第１交換部品へ交換された場合の制御モードの切り換え方法のフローチャートを示す。図１２に示すステップＳ６０２〜ステップＳ６０８の処理が実行されることによって、制御モードの切り換えが行われる。図１２に示したフローチャートは、移行期間Ｔの間、制御部１０が制御モードを第３制御モードに切り換える点を除いて、図５に示したフローチャートと同様の処理を行うため、重複部分については説明を省略する。
【００８８】
図１２に示すように、本実施形態では、制御部１０が、装着部２１に装着されている交換部品Ｃが、第２交換部品から第１交換部品に交換されたと判定した場合（ステップＳ６０２：Ｙｅｓ）、制御部１０は、制御モードを第３制御モードに切り換える（ステップＳ６０４）。また、制御部１０が、移行期間Ｔが経過したと判定した場合（ステップＳ６０６：Ｙｅｓ）、制御部１０は、制御モードを第１制御モードに切り換える（ステップＳ６０８）。
【００８９】
図１、図２および図１０〜図１２を参照して説明したように、制御部１０は、移行期間Ｔの間、制御モードを第３制御モードに切り換える。第３制御モードでは、画像形成部における第１交換部品の消耗品ＣＴの量と第２交換部品の消耗品ＣＴの量との割合に応じた第３設定で画像形成部を制御する。したがって、画像形成に使用されている消耗品ＣＴに適した設定で被記録媒体Ｓに画像形成を行うことができる。
【００９０】
なお、制御部１０は、混在割合に応じて、アイコン画像Ｍ４の濃度を変更することが好ましい。図１３を参照して、アイコン画像Ｍ４の濃度の変更について説明する。図１３（ａ）は、画像形成装置１００の操作パネルを示す図である。図１３（ｂ）〜図１３（ｄ）は、アイコン画像Ｍ４を示す図である。図１３（ｂ）に示すアイコン画像Ｍ４は、混在割合が、第１交換部品の消耗品ＣＴが１００％の場合のアイコン画像Ｍ４を示す。図１３（ｃ）に示すアイコン画像Ｍ４は、混在割合が、第１交換部品の消耗品ＣＴが５０％、第２交換部品の消耗品ＣＴが５０％のアイコン画像Ｍ４を示す。図１３（ｄ）に示すアイコン画像Ｍ４は、混在割合が、第２交換部品の消耗品ＣＴが１００％の場合のアイコン画像Ｍ４を示す。
【００９１】
図１３（ａ）に示すように、制御部１０は、表示部３０に設定画面Ｍ３を表示させる。設定画面Ｍ３は、複数のアイコン画像Ｍ４を含む。アイコン画像Ｍ４は、例えば、原稿の向きを設定する機能を示すアイコンである。
【００９２】
図１３（ｂ）〜図１３（ｄ）に示すように、制御部１０は、混在割合に応じて、アイコン画像Ｍ４の濃度を変更するように表示部３０を制御する。詳しくは、制御部１０は、第２交換部品の割合が多くなるにつれて、アイコン画像Ｍ４の濃度を濃くするように表示部３０を制御する。したがって、ユーザーがアイコン画像Ｍ４を確認することによって、第２交換部品の割合が多いことを視認することができる。
【００９３】
なお、制御部１０は、混在割合に応じて、アイコン画像Ｍ４の濃度を部分的に変更するように表示部３０を制御してもよい。図１４（ａ）〜図１４（ｃ）は、アイコン画像Ｍ４を示す図である。図１４（ａ）に示すアイコン画像Ｍ４は、混在割合が、第１交換部品の消耗品ＣＴが１００％の場合のアイコン画像Ｍ４を示す。図１４（ｂ）に示すアイコン画像Ｍ４は、混在割合が、第１交換部品の消耗品ＣＴが５０％、第２交換部品の消耗品ＣＴが５０％のアイコン画像Ｍ４を示す。図１４（ｃ）に示すアイコン画像Ｍ４は、混在割合が、第２交換部品の消耗品ＣＴが１００％の場合のアイコン画像Ｍ４を示す。
【００９４】
図１４（ａ）〜図１４（ｃ）に示すように、制御部１０は、混在割合に応じて、アイコン画像Ｍ４の濃度を部分的に変更するように表示部３０を制御する。詳しくは、制御部１０は、第２交換部品の割合が多くなるにつれて、アイコン画像Ｍ４の濃度を濃い部分の面積を増加させるように表示部３０を制御する。したがって、ユーザーがアイコン画像Ｍ４を確認することによって、第２交換部品の割合が多いことを視認することができる。
【００９５】
なお、制御部１０は、設定画面Ｍ３およびアイコン画像Ｍ４を、外部端末装置Ｅ（図１参照）の表示部に表示させるようにしてもよい。
【００９６】
なお、制御部１０は、第１交換部品の濃度特性と、混合割合に応じた濃度特性とを比較する情報を表示部３０に表示させることが好ましい。図１５は、画像形成装置１００の操作パネルを示す図である。
【００９７】
図１５に示すように、制御部１０は、第１交換部品の濃度特性と、混合割合に応じた濃度特性とを比較する情報を表示部３０に表示させる。例えば、制御部１０は、濃度特性を示すグラフを含む画面Ｍ５を表示部３０に表示させる。画面Ｍ５において、Ｌ１は、第１交換部品の濃度特性を示し、Ｌ２は、混合割合に応じた濃度特性を示す。ユーザーは、画面Ｍ５を確認することによって、画像形成に使用されている消耗品ＣＴの濃度特性と、第１交換部品の消耗品ＣＴの濃度特性との隔たりを視認することができる。
【００９８】
以上、図面（図１〜図１５）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００９９】
（１）図１〜図１５を参照して説明した画像形成装置１００は、モノクロ複合機であったが、本発明はこれに限られない。画像形成装置１００は、例えば、カラー複合機であってもよい。
【０１００】
（２）図１〜図１５を参照して説明した画像形成装置１００は、電子写真方式の複合機であったが、本発明はこれに限られない。画像形成装置１００は、例えば、インクジェット記録方式の複合機であってもよい。例えば、インクジェット記録方式の複合機の場合、交換部品Ｃはインクカートリッジであり、消耗品ＣＴはインク（例えば、ブラック色）である。画像形成ユニット８０は、記録ヘッドを含む。
【符号の説明】
【０１０１】
１０        制御部
２１        装着部
３０        表示部
４０        入力部
４３        解除ボタン
８０        画像形成ユニット（画像形成部）
１００      画像形成装置
Ｃ          交換部品
ＣＢ        排出部材
ＣＴ        消耗品
ＭＴ        駆動部
Ｓ          被記録媒体
Ｔ          移行期間
【図１】
2019101156.tif 000003
【図２】
2019101156.tif 000004
【図３】
2019101156.tif 000005
【図４】
2019101156.tif 000006
【図５】
2019101156.tif 000007
【図６】
2019101156.tif 000008
【図７】
2019101156.tif 000009
【図８】
2019101156.tif 000010
【図９】
2019101156.tif 000011
【図１０】
2019101156.tif 000012
【図１１】
2019101156.tif 000013
【図１２】
2019101156.tif 000014
【図１３】
2019101156.tif 000015
【図１４】
2019101156.tif 000016
【図１５】
2019101156.tif 000017